(57)【特許請求の範囲】
【請求項１】
ベッドを構成する基体と、前記基体に設けられベッドに横たわる使用者の背中を支える背中ボトムと、前記背中ボトムのうちの少なくとも使用者の腰部側に対向するランバーサポート用ボトムを支えるボトムフレームと、使用者の背中を使用者の下半身に対して持ち上げるように前記背中ボトムを前記ボトムフレームと共に持ち上げる背上げ機構とを具備し、
前記背上げ機構は、基端部が前記基体に旋回可能に枢支され先端部が前記背中ボトムを使用者の下半身に対して持ち上げるための背上げ駆動アームと、前記背上げ駆動アームを背上げ方向および背下げ方向に旋回させるための背上げ駆動源と、基端部が前記基体に旋回可能に枢支され前記背上げ駆動アームの旋回に追従して背上げ方向および背下げ方向に旋回するための背上げ従動アームとを有しており、
前記背上げ従動アームは、使用者の腰部を腹側に向けて反らせるように前記ランバーサポート用ボトムを前記ボトムフレームに対して作動させ、且つ、前記背上げ機構の背上げ動作とともに前記ランバーサポート用ボトムに沿って摺動可能な接触子をもつランバーサポート部を有しており、
前記ランバーサポート用ボトムは、前記背上げ駆動アームが背上げ動作の開始初期において前記ランバーサポート部の前記接触子に対面しつつ接近または接触する共に前記ランバーサポート用ボトムに向けて延設されたレール部を有し、
前記ランバーサポート部は、互いに交差する第１アームおよび第２アームを有するサポート部材と、前記第１アームおよび前記第２アームのうちのいずれか一方において空転可能に設けられた前記接触子とを備えており、
前記背上げ駆動アームの背上げ動作時において前記ランバーサポート部の前記サポート部材が前記ランバーサポート用ボトムに接触するよりも、前記ランバーサポート部の空転可能な前記接触子が前記レール部に優先的に接触するように、前記ランバーサポート部は前記背上げ従動アームに設けられているベッド背上げ装置。
【請求項２】
ベッドを構成する基体と、前記基体に設けられベッドに横たわる使用者の背中を支える背中ボトムと、前記背中ボトムのうちの少なくとも使用者の腰部側に対向するランバーサポート用ボトムを支えるボトムフレームと、使用者の背中を使用者の下半身に対して持ち上げるように前記背中ボトムを前記ボトムフレームと共に持ち上げる背上げ機構とを具備し、
前記背上げ機構は、基端部が前記基体に旋回可能に枢支され先端部が前記背中ボトムを使用者の下半身に対して持ち上げるための背上げ駆動アームと、前記背上げ駆動アームを背上げ方向および背下げ方向に旋回させるための背上げ駆動源と、基端部が前記基体に旋回可能に枢支され前記背上げ駆動アームの旋回に追従して背上げ方向および背下げ方向に旋回するための背上げ従動アームとを有しており、
前記背上げ従動アームは、使用者の腰部を腹側に向けて反らせるように前記ランバーサポート用ボトムを前記ボトムフレームに対して作動させ、且つ、前記背上げ機構の背上げ動作とともに前記ランバーサポート用ボトムに沿って摺動可能な接触子をもつランバーサポート部を有しており、
前記ランバーサポート用ボトムは、前記背上げ駆動アームが背上げ動作の開始初期において前記ランバーサポート部の前記接触子に対面しつつ接近または接触する共に前記ランバーサポート用ボトムに向けて延設されたレール部を有し、
前記ランバーサポート部は、前記背中ボトムのうちの少なくとも前記ランバーサポート用ボトムに前記接触子を接触させる前記ランバーサポート位置と、前記ランバーサポート用ボトムに前記接触子を接触させず前記ランバーサポート位置を解除させる解除位置とに切り替え可能とされているベッド背上げ装置。
【請求項３】
ベッドを構成する基体と、前記基体に設けられベッドに横たわる使用者の背中を支える背中ボトムと、前記背中ボトムのうちの少なくとも使用者の腰部側に対向するランバーサポート用ボトムを支えるボトムフレームと、使用者の背中を使用者の下半身に対して持ち上げるように前記背中ボトムを前記ボトムフレームと共に持ち上げる背上げ機構とを具備し、
前記背上げ機構は、基端部が前記基体に旋回可能に枢支され先端部が前記背中ボトムを使用者の下半身に対して持ち上げるための背上げ駆動アームと、前記背上げ駆動アームを背上げ方向および背下げ方向に旋回させるための背上げ駆動源と、基端部が前記基体に旋回可能に枢支され前記背上げ駆動アームの旋回に追従して背上げ方向および背下げ方向に旋回するための背上げ従動アームとを有しており、
前記背上げ従動アームは、使用者の腰部を腹側に向けて反らせるように前記ランバーサポート用ボトムを前記ボトムフレームに対して作動させ、且つ、前記背上げ機構の背上げ動作とともに前記ランバーサポート用ボトムに沿って摺動可能な接触子をもつランバーサポート部を有しており、
前記ランバーサポート用ボトムは、前記背上げ駆動アームが背上げ動作の開始初期において前記ランバーサポート部の前記接触子に対面しつつ接近または接触する共に前記ランバーサポート用ボトムに向けて延設されたレール部を有し、
前記背上げ駆動アームの背上げ動作の開始前における前記ランバーサポート部の前記接触子と前記レール部との距離を調整させる距離調整機構が、前記レール部および前記ランバーサポート用ボトムのうち少なくとも一方に設けられているベッド背上げ装置。
【発明の詳細な説明】
【技術分野】
【０００１】
本発明はベッドに横たわる使用者の背中を下半身に対して持ち上げる背上げ機能をもつベッド背上げ装置に関し、殊に、背上げ時において使用者の腰部を反らせて腹部の圧迫を軽減させるランバーサポート機能をもつベッド背上げ装置に関する。
【背景技術】
【０００２】
ベッド背上げ装置として、ベッドに横たわる使用者の背中を下半身に対して持ち上げる背上げ動作時において、使用者を支えるボトムのうち腰部付近のボトムが腰部を反らせる方向に移動し、使用者の腹部の圧迫感を軽減できるものが開示されている（特許文献１）。このものによれば、背上げ動作時に、背上げ駆動アームとは別に設けられた接触子として機能する回転ローラが、背上げ駆動アームと連動して動きながらカムを乗り越えることにより、ボトムの一部を押し上げ、腰部付近（骨盤）を反らして使用者の腹側に付勢させるランバーサポート機能が得られ、骨盤を反らせることにより腹部の圧迫感をより一層軽減できる。
【０００３】
更に、ベッド背上げ装置として、背上げ動作前に臀部を下げ、腰部を持ち上げた後に、背上げ動作に入ることで、骨盤を起こした状態で背上げを行えることから、腹部の圧迫感を軽減できるものが開示されている（特許文献２）。
【先行技術文献】
【特許文献】
【０００４】
【特許文献１】特開２００５−２３７４９３号公報
【特許文献２】特開２００２−１７２１４４号公報
【発明の概要】
【発明が解決しようとする課題】
【０００５】
このようなベッドに横たわる使用者の背中を下半身に対して持ち上げるベッド背上げ装置において、背上げ駆動アームの背上げ動作を開始した直後の開始初期において、接触子として機能する回転ローラがランバーサポート用ボトムに当たる前に、ランバーサポート部の回転ローラ（摺動子）以外の部位が、ランバーサポート用ボトムに当たることがあった。この場合、円滑なランバーサポート動作が必ずしも得られない不具合があった。
【０００６】
本発明は上記した実情に鑑みてなされたものであり、背上げ駆動アームの背上げ動作の開始初期においてランバーサポート動作に円滑に移動できるベッド背上げ装置を提供することを課題とする。
【課題を解決するための手段】
【０００７】
本発明に係るベッド背上げ装置の様相１〜３に共通する基本的な構成は、ベッドを構成する基体と、基体に設けられベッドに横たわる使用者の背中を支える背中ボトムと、背中ボトムのうちの少なくとも使用者の腰部側に対向するランバーサポート用ボトムを支えるボトムフレームと、使用者の背中を使用者の下半身に対して持ち上げるように背中ボトムをボトムフレームと共に持ち上げる背上げ機構とを具備し、
（ｉ）背上げ機構は、基端部が基体に旋回可能に枢支され先端部が背中ボトムを使用者の下半身に対して持ち上げるための背上げ駆動アームと、背上げ駆動アームを背上げ方向および背下げ方向に旋回させるための背上げ駆動源と、基端部が基体に旋回可能に枢支され背上げ駆動アームの旋回に追従して背上げ方向および背下げ方向に旋回するための背上げ従動アームとを有しており、
（ｉｉ）背上げ従動アームは、使用者の腰部を腹側に向けて反らせるようにランバーサポート用ボトムをボトムフレームに対して作動させ、且つ、背上げ機構の背上げ動作とともにランバーサポート用ボトムに沿って摺動可能な接触子をもつランバーサポート部を有しており、
（ｉｉｉ）ランバーサポート用ボトムは、背上げ駆動アームが背上げ動作の開始初期においてランバーサポート部の接触子に対面しつつ接近または接触する共にランバーサポート用ボトムに向けて延設されたレール部を有する。背上げ動作の開始初期とは、ベッドの水平面に対して背中ボトムが所定角度（例えば、１〜２０°の範囲内または２〜１５°の範囲内の任意値）傾斜するまでの段階をいう。
【０００８】
本発明に係るベッド背上げ装置の様相１〜３に共通する基本的な構成によれば、
（ｉ）背上げ機構は、基端部が基体に旋回可能に枢支され先端部が背中ボトムを使用者の下半身に対して持ち上げるための背上げ駆動アームと、背上げ駆動アームを背上げ方向および背下げ方向に旋回させるための背上げ駆動源と、基端部が基体に旋回可能に枢支され背上げ駆動アームに追従して背上げ方向および背下げ方向に旋回するための背上げ従動アームとを有する。
（ｉｉ）背上げ従動アームは、ランバーサポート用ボトムに接触可能な接触子を有する。ここで、接触子は、使用者の腰部を反らせて腹側に向けて付勢させるようにランバーサポート用ボトムをボトムフレームに対して作動させ、且つ、背上げ機構の背上げ動作の進行とともにランバーサポート用ボトムに沿って摺動可能とされている。
（ｉｉｉ）ランバーサポート用ボトムは、レール部を有する。レール部は、背上げ駆動アームの背上げ動作の開始初期においてランバーサポート部の接触子に対面して接近または接触されており、ランバーサポート用ボトムに向けて延設されている。このように背上げ駆動アームの背上げ動作の開始初期において、ランバーサポート部の回転ローラ等の接触子およびレール部は、互いに対面して互いに接触可能とされている。このため背上げ駆動アームの背上げ動作が開始されると、背上げ駆動アームと共に背上げ従動アームが背上げ方向に動作する。このとき、背上げ従動アームと共にランバーサポート部の回転ローラ等の接触子も背上げ方向に動作する。この場合、ランバーサポート部のうちレール部に対面している回転ローラ等の接触子は、レール部に沿って移動し、更に、レール部からランバーサポート用ボトムに円滑に移動する。このため、背上げ駆動アームの背上げ動作の開始初期において、ランバーサポートの回転ローラ等の摺動子以外の部位がランバーサポート用ボトムに当たることが抑制される。この結果、背上げ駆動アームの背上げ動作の開始初期において、円滑なランバーサポート動作が得られる。
【０００９】
ベッドとしては、フレームの高さ位置を昇降可能に調整できるタイプでも良いし、フレームの高さ位置を昇降可能に調整できない固定的なタイプでも良い。
様相１に係るベッド背上げ装置によれば、様相１〜３に共通する基本的な構成において、ランバーサポート部は、互いに交差する第１アームおよび第２アームを有するサポート部材と、第１アームおよび第２アームのうちのいずれか一方にサポート部材に対して空転可能に設けられた接触子とを備えている。この場合、様相１に係るベッド背上げ装置によれば、様相１〜３に共通する基本的な構成において、背上げ駆動アームの背上げ動作時においてランバーサポート部のサポート部材がランバーサポート用ボトムに接触するよりも、ランバーサポート部の空転可能な接触子がレール部に優先的に接触するように、ランバーサポート部は背上げ従動アームに設けられている。この場合、背上げ時において、背上げ駆動アームの背上げ動作時においてランバーサポート部のサポート部材がランバーサポート用ボトムに接触するよりも、ランバーサポート部の空転可能な接触子がレール部に優先的に接触する。このため、ランバーサポート部のサポート部材がランバーサポート用ボトムに接触するために発生する異音が抑制される。
様相２に係るベッド背上げ装置によれば、様相１〜３に共通する基本的な構成において、ランバーサポート部は、背中ボトムのうちの少なくともランバーサポート用ボトムに接触子を接触させるランバーサポート位置と、ランバーサポート用ボトムに接触子を接触させずランバーサポート位置を解除させる解除位置とに切り替え可能とされている。ランバーサポート部がランバーサポート位置に切り替えられている場合には、背上げ駆動アームの背上げ時において、使用者を支えるボトムのうち腰部付近のランバーサポート用ボトムが使用者の腰部を使用者の腹側に向けて押圧させる。この場合、使用者の腰部は前方にやや反った状態となり、使用者の姿勢が前かがみになることが抑制され、使用者の腹部の圧迫感が軽減される。但し使用者の身体の状況によっては、ランバーサポート位置を解除させた方が好ましい場合もある。このような場合には、ランバーサポート部が解除位置に切り替えられる。この場合、背上げ駆動アームの背上げ時において、ランバーサポート用ボトムは使用者の腰部を使用者の腹側に向けて押圧させない。
様相３に係るベッド背上げ装置によれば、様相１〜３に共通する基本的な構成において、背上げ駆動アームの背上げ動作の開始前におけるランバーサポート部の接触子とレール部との距離を調整させる距離調整機構が、レール部およびランバーサポート用ボトムのうち少なくとも一方に設けられている。この場合、背上げ動作の開始前におけるランバーサポート部の接触子とレール部との距離が調整される。ひいては背上げ動作の開始初期におけるランバーサポート機能の発揮タイミング時期が調整される。
【発明の効果】
【００１０】
本発明に係るベッド背上げ装置によれば、前述したように、背上げ駆動アームの背上げ動作の開始初期において、ランバーサポート部の回転ローラ等の接触子およびレール部は、互いに対面して互いに接触可能とされている。このため背上げ駆動アームの背上げ動作が開始されると、背上げ駆動アームと共に背上げ従動アームが背上げ方向に動作する。このとき、背上げ従動アームの進行と共にランバーサポート部の回転ローラ等の接触子も背上げ方向に動作する。この場合、背上げ動作の開始初期において、ランバーサポート部のうちレール部に対面している回転ローラ等の接触子は、レール部に沿って移動し、更に、レール部からランバーサポート用ボトムに円滑に移動できる。このため背上げ駆動アームの背上げ動作の開始初期において、ランバーサポートの回転ローラ等の摺動子以外の部位がランバーサポート用ボトムに当たることが抑制される。この結果、円滑なランバーサポート動作が得られる。
【図面の簡単な説明】
【００１１】
【図１】実施形態１に係り、背上げ機構を備えるベッド装置の側面図である。
【図２】図２（Ａ）は実施形態１に係り、ランバーサポート部をランバーサポート位置に切り替えつつ、背上げ機構を背上げ方向に動作させているベッド装置の側面図であり、図２（Ｂ）は、ランバーサポート部を解除位置に切り替えつつ、背上げ機構を背上げ方向に動作させているベッド装置の側面図である。
【図３】図３（Ａ）は実施形態１に係り、ランバーサポート部をランバーサポート位置に固定している状態を示す要部の側面図であり、図３（Ｂ）は、ランバーサポート部をランバーサポート位置から解除位置に切り替える途中状態を示す要部の側面図であり、図３（Ｃ）は、ランバーサポート部を解除位置に切り替えた保持した状態を示す要部の側面図である。
【図４】実施形態１に係り、背上げ駆動アーム、第１背上げ従動アームおよび第２背上げ従動アームが動作する過程を示す側面図である。
【図５】実施形態１に係り、背上げ駆動アームの背上げ動作を開始した初期におけるランバーサポート部付近を拡大して示す拡大図である。
【図６】実施形態２に係り、背上げ駆動アームの背上げ動作を開始する前における背上げ機構を拡大して示す側面図である。
【図７】実施形態２に係り、背上げ駆動アームの背上げ動作を開始する前における背上げ機構のランバーサポート部付近を拡大して示す側面図である。
【図８】実施形態２に係り、背上げ駆動アームの背上げ動作を開始した直後における背上げ機構を拡大して示す側面図である。
【図９】実施形態２に係り、背上げ駆動アームの背上げ動作を開始した直後における背上げ機構のランバーサポート部の回転ローラ付近を拡大して示す側面図である。
【図１０】実施形態３に係り、背上げ駆動アームの背上げ動作を開始する前における背上げ機構のランバーサポート部の回転ローラ付近を拡大して示す側面図である。
【図１１】参考例に係り、背上げ駆動アームの背上げ動作を完了し、且つ、背上げ機構のランバーサポート部の回転ローラ付近を示す側面図である。
【図１２】実施形態４に係り、背上げ駆動アームの背上げ動作を開始する前におけるレール部の位置を第１位置に切り替えた状態を拡大して示す側面図である。
【図１３】実施形態４に係り、背上げ駆動アームの背上げ動作を開始する前におけるレール部の位置を第２位置に切り替えた状態を拡大して示す側面図である。
【発明を実施するための形態】
【００１５】
（実施形態１）
図１〜図５は本発明の実施形態１の概念を模式的に示す。図１に示すように、本実施形態に係るベッド背上げ装置は、ベッドを構成する基体１００と、基体１００の上フレーム１０１に設けられベッドに横たわる使用者の背中を支える背中ボトム１０２と、固定ボトム１０４と、使用者の尻を支える尻ボトム１０５と、使用者の大腿部を支える大腿ボトム１０６と、使用者の下腿部を支える下腿ボトム１０７と、背中ボトム１０２を支えるボトムフレーム１１０と、使用者の背中を使用者の下半身に対して持ち上げるように背中ボトム１０２を持ち上げる背上げ機構２０Ａとを有する。
【００１６】
図１に示すように、背中ボトム１０２はボトムフレーム１１０に配置されており、使用者の少なくとも腰部の背面側に対面すると共に腰部（骨盤）を反らせるためのランバーサポート用ボトム１０３と、使用者の背面のうちランバーサポート用ボトム１０３に対向する背面部分の上方に対向する固定ボトム１０９とを有する。ボトム１０３は枢支具１０２ｗを介して固定ボトム１０９に対して揺動可能とされている。ランバーサポート用ボトム１０３は、ボトムフレーム１１０に保持されているものの、ボトムフレーム１１０の上面１００ｕから浮上可能とされている（図２（Ａ）参照）。固定ボトム１０４，１０９はボトムフレーム１１０に固定されている。図１に示すように、ランバーサポート用ボトム１０３と固定ボトム１０４との間には、空間１０８が形成されている。この空間１０８は、背上げ時に浮上するボトム１０３が固定ボトム１０４に摩擦することを解消させて、ランバーサポート用ボトム１０３の浮上を容易にする。上記した各ボトム１０２，１０６，１０７，１０４，１０３，１０９は、樹脂を基材として形成されていても良いし、鉄合金またはアルミニウム合金等の金属で中空箱状に形成されていても良い。なお、使用時には、一般的には、各ボトム１０２，１０６，１０７，１０４，１０３，１０９の上面には、使用者が横たわるマットレスが載せられる。
【００１７】
図１に示すように、使用者の背中を持ち上げるための背上げ機構２０Ａは、背中ボトム１０２を持ち上げるために駆動する背上げ駆動アーム２００と、背上げ駆動アーム２００を背上げ方向（矢印Ｕ１方向）および背下げ方向（矢印Ｕ２方向）に旋回駆動させるための背上げ駆動源２１０とを有する。背上げ駆動アーム２００の基端部２００ｅは、基体１００の上フレーム１０１に枢支具２００ｒにより旋回可能に枢支されており、先端部には背上げ回転ローラ２００ｆ（背上げ用転動体）が回転可能に設けられている。背上げ回転ローラ２００ｆは、背上げ時において、背中ボトム１０９の背面１０９ｒを支えつつ背面１０９ｒに沿って転動する。背上げ駆動アーム２００の基端部２００ｅには、背上げ駆動源２１０により駆動される駆動アーム２１３が連結されている。
【００１８】
図１に示すように、背上げ駆動源２１０は、流体圧またはモータで駆動する本体２１１と、本体２１１に対して矢印Ｂ１，Ｂ２方向に伸縮可能なロッド２１２とをもつ。ロッド２１２は枢支具２１２ｒを介して駆動アーム２１３に連結されている。背上げ駆動源２１０が正方向に駆動してロッド２１２が矢印Ｂ１方向（背上げ方向）に伸長すると、駆動アーム２１３を介して背上げ駆動アーム２００が背上げ方向（矢印Ｕ１方向）に旋回する。背上げ状態において、背上げ駆動源２１０が逆方向に駆動してロッド２１２が矢印Ｂ２方向（背下げ方向）に収縮すると、駆動アーム２１３を介して背上げ駆動アーム２００が背下げ方向（矢印Ｕ２方向）に旋回する。
【００１９】
図２（Ａ）（Ｂ）に示すように、背上げ機構２０Ａは、背上げ駆動アーム２００を有する他に、第１背上げ従動アーム３００および第２背上げ従動アーム４００を有する。第２背上げ従動アーム４００は、これの基端部４００ｅが枢支具４００ｒを介して基体１００の上フレーム１０１に高さ方向において旋回可能に枢支されており、背上げ駆動アーム２００に追従して背上げ方向および背下げ方向に旋回する。第２背上げ従動アーム４００の先端部４００ｆは、枢支具４００ｍを介してボトムフレーム１１０に旋回可能に枢支されている。図２（Ａ）（Ｂ）に示すように、ボトムフレーム１１０には、これの横方に突出する旋回中心となるピン１１３が溶接または固定具などで固定されている。第１背上げ従動アーム３００は、本体アーム３１０と、本体アーム３１０のうち先端部３１０ｆの側に取り付けられたランバーサポート部３５０とを有する。本体アーム３１０は、これの基端部３１０ｅが枢支具３１０ｒを介して上フレーム１０１に旋回可能に枢支されており、背上げ駆動アーム２００の旋回に追従して背上げ方向（矢印Ｕ１０方向）および背下げ方向に旋回する。
【００２０】
図２および図３に示すように、ランバーサポート部３５０は、第１アーム３５１および第２アーム３５２を連結部で連結させるように略くの字形状（Ｌ字形状）に成形されたサポート部材３５３と、第１アーム３５１に回転軸３６５を介して設けられ背中ボトム１０２のうちの少なくとも腰部側のランバーサポート用ボトム１０３の背面１０３ｒに接触可能な接触子として機能する転動体である空転可能な回転ローラ３６０と、サポート部材３５３を本体アーム３１０に係合させた状態でボトムフレーム１１０に着脱可能に取り付けるための取付具３８０とを有する。取付具３８０は、雄螺子をもつボルトとされているが、これに限定されるものではない。ボトムフレーム１１０の取付孔１１５の背面側には、雌螺子３８２ｃをもつナット３８２（図２（Ａ）、図３（Ｂ）参照）が溶接や固定具等で固定されている。
【００２１】
図３に示すように、サポート部材３５３の第２アーム３５２は、ランバーサポート部３５０を位置調整させるときにおいてピン１１３を相対移動させるための一直線状に延びる長孔３９０をもつ。ランバーサポート位置を示す図３（Ａ）では、取付具３８０が長孔３９０の他端部３９０ｆ側に嵌合された状態でナット３８２の雌螺子３８２ｃに螺合される。これによりランバーサポート部３５０は本体アーム３１０に係合している状態でボトムフレーム１１０に固定されている。このようにランバーサポート位置では、ピン１１３が長孔３９０の長さ方向の一端部３９０ｅ側に位置している。
【００２２】
すなわち、図２（Ａ）および図３（Ａ）は、ランバーサポート部３５０がランバーサポート位置（使用者の腰部（骨盤）を反らせて使用者の腹側に向けて付勢させるランバーサポート機能を発揮する位置）に切り替えられている状態を示す。ランバーサポート位置では、背中ボトム１０２のうち腰部側のランバーサポート用ボトム１０３の背面１０３ｒをランバーサポート部３５０の回転ローラ３６０のローラ面３６２で押圧し、ボトムフレーム１１０の上面１１０ｕに対して矢印Ａ１方向（使用者に向かう方向、腰部を腹側に反らせる方向）に向けて移動させることにより、ランバーサポート用ボトム１０３をボトムフレーム１１０の上面１１０ｕから遠ざけて浮上させている。このようなランバーサポート位置によれば、使用者の腰部を腹側に押圧する使用者の腰部はやや反った方向に付勢された状態（ランバーサポート状態）となり、使用者の姿勢が前かがみになることが抑制され、ベッド上の使用者の腹部の圧迫感が抑えられる。
【００２３】
ところで、使用者の身体状況等によっては、腰部を反らせるランバーサポート機能を使用しない方が好ましい場合がある。この場合、ランバーサポート部３５０は、ランバーサポート位置（図３（Ａ））から、解除位置（図３（Ｃ））に切り替えられる。この場合、図３（Ａ）に示すように、ランバーサポート部３５０がランバーサポート位置に設定されている状態において、まず、取付具３８０をボトムフレーム１１０の取付孔１１５から外す。その後、図３（Ｂ）に示すように、ランバーサポート部３５０をボトムフレーム１１０に沿って上方向（Ｙ３方向）に移動（スライド）させ、ピン１１３と長孔３９０の他端部３９０ｆとを当てる。この場合、ピン１１３と長孔３９０の他端部３９０ｆとが当たるため、ランバーサポート部３５０の過剰移動（過剰スライド）が防止される。その後、ランバーサポート部３５０をピン１１３を回転中心として矢印Ａ３方向に沿って下向きに約１８０°程度旋回させる。これにより、図３（Ｃ）に示すように、ランバーサポート機能を果たす回転ローラ３６０をボトムフレーム１１０の背面１１０ｒ側に退避させて格納させる。このように回転ローラ３６０をボトムフレーム１１０の背面１１０ｒ側に退避させて格納させる。この状態で、取付具３８０の雄螺子をボトムフレーム１１０の取付孔１１５に挿入し、取付孔１１５の背面側のナット３８２の雌螺子３８２ｃに螺着させる。これによりランバーサポート部３５０をこれの解除位置に固定した状態でボトムフレーム１１０に固定する。なお、回転ローラ３６０は、背上げ駆動アーム２００，第１背上げ従動アーム３００，第２背上げ従動アーム４００の動作の邪魔にならないようにされている。
【００２４】
図３（Ａ）に示すようにランバーサポート位置では、長孔３９０の一端部３９０ｅは上側に位置してピン１１３に対面しており、他端部３９０ｆは下側に位置して取付具３８０に対面している。図３（Ｃ）に示すように解除位置では、ランバーサポート位置とは反対の位置関係であり、長孔３９０の一端部３９０ｅは下側に位置して取付具３８０に対面しており、他端部３９０ｆは上側に位置してピン１１３に対面している。ランバーサポート部３５０を矢印Ａ３方向に約１８０°旋回させているためである。このようにすれば、取付具３８０および取付孔１１５（ナット３８２）は、ランバーサポート位置および解除位置に共用でき、それぞれ単数にでき、取付構造の簡単化に有利である。
【００２５】
ここで、図２（Ｂ）および図３（Ｃ）は解除位置を示す。解除位置では、回転ローラ３６０はボトムフレーム１１０に対して後方（使用者の腰部から遠ざかる方向）に退避している。このため、腰部側のランバーサポート用ボトム１０３の背面１０３ｒに回転ローラ３６０のローラ面３６２は接触しておらず、ランバーサポート用ボトム１０３は、解除方向（矢印Ａ２方向）に移動して、使用者の腰部から遠ざけられている。このような解除位置では、図３（Ｃ）に示すように、回転ローラ３６０がランバーサポート用ボトム１０３の背面１０３ｒに非接触であり、ピン１１３が長孔３９０の長さ方向の他端部３９０ｆ側に位置している。
【００２６】
このように本実施形態によれば、長孔３９０を利用してランバーサポート部３５０の向きを変更できる。ランバーサポート部３５０をランバーサポート位置から解除位置に切り替えられているときには、ランバーサポート部３５０は背上げ機構２０Ａに取り付けられている。このため、ランバーサポート機能の不使用時において、ランバーサポート部３５０の紛失のおそれを解消できる。ランバーサポート機能を発揮させるときには、ランバーサポート部３５０をランバーサポート位置に切り替えておく。この状態で、背上げ駆動源２１０が正方向に駆動してロッド２１２が矢印Ｂ１方向（図１参照）に伸長すると、駆動アーム２１３を介して背上げ駆動アーム２００が枢支具２００ｒを中心として背上げ方向（矢印Ｕ１方向）に旋回する。このとき、第１背上げ従動アーム３００は追従して枢支具３１０ｒを中心として背上げ方向（矢印Ｕ１０方向）に旋回する。第２背上げ従動アーム４００は追従して枢支具４００ｒを中心として背上げ方向（矢印Ｕ２０方向）に旋回する。これによりベッド上に横たわる使用者の背中を持ち上げることができる。
【００２７】
本実施形態によれば、図３（Ａ）に示すように、ランバーサポート機能の使用時において、ランバーサポート部３５０は、ピン１１３および取付具３８０の二点支持構造であり、使用者による荷重負荷が回転ローラ３６０に作用するときであっても、ランバーサポート部３５０の空転が防止される。殊に、荷重負荷方向（矢印Ａ１方向と逆方向）と長溝３９０の延びる方向とは、ほぼ直交するため、ランバーサポート部３５０の空転が効果的に防止される。また、図３（Ｃ）に示すように、解除位置においても、ランバーサポート部３５０は、ピン１１３および取付具３８０の二点支持構造であり、ランバーサポート部３５０の空転が防止される。
【００２８】
さて図４（Ａ）〜（Ｉ）は、背中ボトム１０２（ボトム１０３，１０９）が背上げされるとき、背上げ駆動アーム２００、第１背上げ従動アーム３００および第２背上げ従動アーム４００の旋回過程を示す。図４（Ａ）〜（Ｉ）はランバーサポート機能を実行していない。図４（Ａ）〜（Ｉ）に示すように、背中ボトム１０２は角度０°から次第に背上げされる。例えば角度７５°まで背上げされる。最大背上げ角度は７５°に限定されず、ベッドの種類に応じて適宜変更できる。本実施形態によれば、従来と同様に、背上げ時において、第１背上げ従動アーム３００および第２背上げ従動アーム４００の作動により、背中ボトム１０２のうち腰部側のランバーサポート用ボトム１０３は使用者の後方（図４（Ｉ）に示す矢印ＲＡ方向）に変位するようにされている。
【００２９】
以上説明したように本実施形態によれば、使用者の身体状況等によっては、ランバーサポート部３５０はランバーサポート位置から解除位置に切り替えられる。このようにランバーサポート部３５０がランバーサポート位置から解除位置に切り替えられているとき、ランバーサポート部３５０は、背上げ機構２０Ａに取り付けられているため、ランバーサポート機能を使用しないときにおいて、ランバーサポート部３５０の紛失のおそれを解消できる。
【００３０】
本実施形態によれば、取付具３８０は、ランバーサポート位置においてランバーサポート部３５０を本体アーム３１０またはボトムフレーム１１０に取り付けると共に、解除位置においてランバーサポート部３５０を本体アーム３１０またはボトムフレーム１１０に取り付ける。このように、取付具３８０は、ランバーサポート位置および解除位置の双方において共用される。このためランバーサポート機能を使用しない解除位置において、取付具３８０の紛失のおそれが解消される。このように本実施形態によれば、ランバーサポート部３５０は、ランバーサポート位置および解除位置の双方において背上げ機構２０Ａに取り付けられている。この場合、ランバーサポート部３５０を使用しない解除位置においても、ランバーサポート部３５０は背上げ機構２０Ａに取り付けられているため、ランバーサポート部３５０の不使用時において、ランバーサポート部３５０の紛失のおそれを解消できる。
【００３１】
なお本実施形態によれば、図３（Ａ）から理解できるように、ボトム１０４はボトムフレーム１１０に固定されている。ランバーサポート機能を発揮するときにおいて、ランバーサポート用ボトム１０３はボトムフレーム１１０から浮上するものの、ボトム１０４、１０９はボトムフレーム１１０から浮上しない。もし、ランバーサポート位置において、ランバーサポート用ボトム１０３およびボトム１０４が一体成形され、ボトムフレーム１１０から浮上すると、浮上量が過剰となるおそれがあるためである。
【００３２】
さて本実施形態によれば、次の特徴構造が採用されている。図５は、背上げ駆動アーム２００が背上げ動作を開始した直後における開始初期を示す。図５に示すように、ボトムフレーム１１０は仮想水平線ＨＡ（ベッドの上フレーム１０１の上面に相当）に対して僅かに角度θ１（例えば２〜１５°の範囲の任意値）傾斜している。ランバーサポート用ボトム１０３のうち固定ボトム１０４に対面する部位１０３ｋには、レール部６０が一体的に連設されている。レール部６０は金属、セラミックス、硬質樹脂等で形成されており、第１レール部６１と第２レール部６２とを有しており、両者は交差部６３を介して交差しており、断面でＶ形状をなす。第１レール部６１は回転ローラ３６０により押圧される。第２レール部６２は第１レール部６１を補強する。レール部６０はランバーサポート用ボトム１０３に溶接、取付具（例えばボルト、リベット）、嵌合等の取付手段により取り付けられており、結果として、ランバーサポート用ボトム１０３のうち空間１０８に対面する部位１０３ｋ側に一体的に固定されている。
【００３３】
背上げ時における使用者の上半身の負荷は、背上げ駆動源２１０で駆動される背上げ駆動アーム２００により支えられる。これに対して、背上げ時においてレール部６０は回転ローラ３６０により押圧されるものの、主として、ランバーサポート用ボトム１０３を浮上させて使用者の腰部を反らせる為の負荷が作用するものであるため、レール部６０に大荷重が作用するものではない。
【００３４】
図５に示すように、背上げ駆動アーム２００が背上げ動作が開始されている開始直後である開始初期において、レール部６０の第１レール部６１の案内面６１ａは、ランバーサポート部３５０の回転ローラ３６０（接触子、転動体）のローラ面３６２に対面しつつ接触される。このような本実施形態によれば、図５から理解できるように、背上げ駆動アーム２００の背上げ動作の開始初期において、第１背上げ従動アーム３００が背上げ方向（矢印Ｕ１０方向）へ旋回するにつれて、ランバーサポート部３５０の空転可能な回転ローラ３６０（接触子）がレール部６０の第１レール部６１の案面面６１ａに優先的に接触するように、ランバーサポート部３５０は第１背上げ従動アーム３００の先端部に設けられている。
【００３５】
すなわち、背上げ駆動アーム２００の背上げ動作時においてランバーサポート部３５０のサポート部材３５３の第１アーム３５１がランバーサポート用ボトム１０３の隅部１０３ｘに接触すると、異音が発生したり、隅部１０３ｘが過剰に摩耗するおそれがある。この点について本実施形態によれば、図５から理解できるように、背上げ従動アーム３００が背上げ動作を開始する開始直後である開始初期においてランバーサポート部３５０の回転ローラ３６０のローラ面３６２に対面しつつ接近または接触するレール部６０が設けられている。このレール部６０は図５に示すようにランバーサポート用ボトム１０３の背面１０３ｒに向けて延設されている。このため背上げ従動アーム３００が背上げ方向（矢印Ｕ１０方向）に背上げ動作するときにおいて、ランバーサポート部３５０のサポート部材３５３の第１アーム３５１の部位３５１ｘがランバーサポート用ボトム１０３の隅部１０３ｘに接触することが抑制される。ひいては当該接触に起因する異音の発生が抑制される。この結果、サポート部材３５３の第１アーム３５１がランバーサポート用ボトム１０３の隅部１０３ｘに擦れることが抑制される。このため、ランバーサポート用ボトム１０３の摩耗、損傷等が回避される。同様に、ランバーサポート部３５０のサポート部材３５３の摩耗、損傷等も回避される。
【００３６】
更に本実施形態によれば、図５に示すように、背上げ従動アーム３００の背上げ動作時において、ランバーサポート部３５０のサポート部材３５３の第１アーム３５１がランバーサポート用ボトム１０３の隅部１０３ｘに接触するよりも、ランバーサポート部３５０の空転可能な回転ローラ３６０（接触子）のローラ面３６２がレール部６０の第１レール部６１に優先的に接触するように、ランバーサポート部３５０は第１背上げ従動アーム３００の先端部の側に設けられている。この結果、背上げ従動アーム３００が背上げ動作するときにおいてランバーサポート部３５０のサポート部材３５３の第１アーム３５１がランバーサポート用ボトム１０３の隅部１０３ｘに接触するときに発生する異音の発生が抑制される。ひいては、空転可能な回転ローラ３６０が転動しつつレール部６０の第１レール部６１の案内面６１ａからランバーサポート用ボトム１０３の隅部１０３ｘに至り、隅部１０３ｘを矢印Ｘ１方向（図５参照）に円滑に超えてボトム１０３の背面１０３ｒに円滑に移動できる。このため、ランバーサポート用ボトム１０３の摩耗、損傷等が回避される。同様に、ランバーサポート部３５０のサポート部材３５３の摩耗、損傷等も回避される。
【００３７】
なお本実施形態によれば、ランバーサポート部３５０は、ランバーサポート位置と解除位置とに切り替え可能とされている。但しこれに限らず、ランバーサポート部材３５０はランバーサポート位置に常に設定されており、解除位置に切り替えることができない構造とされていても良い。
【００３８】
（実施形態２）
図６〜図９は本発明の実施形態２を示す。本実施形態は前記した実施形態１と基本的には同様の構成および同様の作用効果を有する。図６は、背上げ駆動アーム２００の背上げ動作が実行されていない状態を示す。図７は図６の要部を拡大して示す。図８は、背上げ駆動アーム２００が背上げ方向（矢印Ｕ１方向）に背上げ動作を開始した開始直後の初期状態を示す。図９は図８の要部を拡大して示す。
【００３９】
本実施形態によれば、実施形態１と同様に、以下のような特徴構造が採用されている。図６および図７に示すように、実施形態１と同様に、ランバーサポート用ボトム１０３と固定ボトム１０４との間には、空間１０８が形成されている。ランバーサポート用ボトム１０３のうち固定ボトム１０４側の部位１０３ｋには、レール部６０が一体的に連設されている。図７に示すように、レール部６０は空間１０８に位置しており、中空部６５を形成するような第１レール部６１と第２レール部６２とで形成されており、断面でＶ形状をなす。中空部６５によりレール部６０の軽量化を図り得る。レール部６０はランバーサポート用ボトム１０３の部位１０３ｋに配置されて、溶接、取付具等で取り付けられており、空間１０８に対面できるように位置している。
【００４０】
背上げ駆動アーム２００が背上げ方向（矢印Ｕ１）方向に背上げ動作を開始する前においては、図６に示すように、固定ボトム１０９の背面１０９ｒから間隔ΔＥ１を介して回転ローラ３６０は退避している。更に、図６の要部拡大図である図７に示すように、背上げ動作を開始する前においては、回転ローラ３６０のローラ面３６２は、空間１０８に対面しつつボトムフレーム１１０の上面１１０ｕから上方に突出している。従って、回転ローラ３６０のローラ面３６２の最上部３６２ｕから片側のローラ面部分３６２ｒは、ランバーサポート用ボトム１０３に向かうにつれて下降するように傾斜している。このようなローラ面部分３６２ｒの傾斜に対応すべく、図７（背上げ操作前の状態を示す）において、レール部６０の第１レール部６１は、ランバーサポート用ボトム分１０３から空間１０８を介して固定ボトム１０４に向かうにつれて次第に上昇するように傾斜されている。このため、背上げ従動アームが背上げ方向（矢印Ｕ１０方向）に旋回するとき、回転ローラ３６０は第１レール部６１を効果的に押圧できる。
【００４１】
図７は、前述したように、背上げ駆動源２１０により背上げ駆動アーム２００の背上げ動作が実行されていない状態（背上げ動作前の状態）を示す。この状態によれば、図７に示すように、ランバーサポート部３５０の回転ローラ３６０（接触子）は、空間１０８に対面するように位置しており、ボトムフレーム１１０の上面１１０ｕから空間１０８にΔＫ１ぶん上方に突出している。背上げ動作前においてΔＫ１ぶん突出している理由としては、本装置の背上げ完了時に、ランバーサポート用ボトム１０３を矢印Ａ１方向（図３（Ａ）参照，ランバーサポート方向）に適度な量突出させ、使用者の背上げ時における使用者の腰部（骨盤）を反らせて使用者の腹側に付勢し、使用者の腹部の圧迫感を軽減させることが期待されるためである。このように本実施形態によれば、背上げ動作前において、図７に示すように、回転ローラ３６０がΔＫ１ぶん空間１０８にボトムフレーム１１０の上面１１０ｕから上方に突出しつつ、ランバーサポート部３５０の回転ローラ３６０（接触子）は、レール部６０の第１レール部６１との間に隙間ΔＷ１を形成しつつ第１レール部６１に対面しつつ接近している。このような隙間ΔＷ１が設けられているため、背上げ開始時刻に対してΔｔ（ΔＷ１移動する時間）ぶん遅延した時刻において、回転ローラ３６０がレール部６０を押圧することになり、ひいては、ランバーサポート用ボトム１０３はランバーサポート方向（矢印Ａ１方向）に変位する。
【００４２】
図８および図９は、前述したように、背上げ駆動源２１０が駆動を開始して背上げ駆動アーム２００の背上げ動作がやや進行した直後の初期を示す。初期においては、図９から理解できるように、ランバーサポート部３５０の空転可能な回転ローラ３６０（接触子）のローラ面３６２がレール部６０の第１レール部６１の案内面６１ａに優先的に接触するように設定されている。
【００４３】
すなわち、図９から理解できるように、背上げ駆動アーム２００の背上げ動作が進行した初期においてランバーサポート部３５０の転動性を有しない第１アーム３５１の部位３５１ｘがランバーサポート用ボトム１０３の隅部１０３ｘに接触すると、擦れ等により異音が発生するおそれがある。この点について本実施形態によれば、図９に示すように、背上げ駆動アーム２００の背上げ動作の開始直後の初期においてランバーサポート部３５０のサポート部材３５３の第１アーム３５１の部位３５１ｘがランバーサポート用ボトム１０３の隅部１０３ｘに接触するよりも、ランバーサポート部３５０のうち転動性を有する空転可能な回転ローラ３６０（接触子，転動体）のローラ面３６２がレール部６０の第１レール部６１の案内面６１ａに優先的に接触する。
【００４４】
このため本実施形態によれば、背上げ駆動アーム２００の背上げ動作を開始した直後の開始初期において、ランバーサポート部３５０のサポート部材３５３の第１アーム３５１がランバーサポート用ボトム１０３の隅部１０３ｘに接触するときに発生する異音の発生が効果的に抑制される。すなわち、サポート部材３５３の第１アーム３５１がランバーサポート用ボトム１０３の隅部１０３ｘに擦れることが抑制される。この結果、ランバーサポート用ボトム１０３の摩耗、損傷等が回避される。同様に、ランバーサポート部３５０のサポート部材３５３の摩耗、損傷等も回避される。
【００４５】
更に図５から理解できるように、背上げ駆動アーム２００の背上げ動作の開始直後の初期においてランバーサポート部３５０のサポート部材３５３の空転可能な回転ローラ３６０（接触子）の回転ローラ面３６２がレール部６０の第１レール部６１に優先的に接触し、更に、背上げ駆動アーム２００の背上げ動作が更に進行するにつれて、回転ローラ３６０のローラ面３６２がランバーサポート用ボトム１０３の隅部１０３ｘを矢印Ｘ１方向（図９参照）に円滑に乗り越え、ランバーサポート用ボトム１０３の背面１０３ｒに沿って摺動できるため、ランバーサポート動作を円滑にできる。
【００４６】
なお本実施形態において、ランバーサポート部３５０は、ランバーサポート位置と解除位置とに切り替え可能とされている構造とされていてもよいし、あるいは、ランバーサポート部材３５０はランバーサポート位置に常に設定されており、解除位置に切り替えることができない構造とされていても良い。
【００４７】
（実施形態３）
図１０は実施形態３を示す。本実施形態は実施形態１，２と基本的には同様の構成、同様の作用効果を有する。以下、相違する部分を中心として説明する。図１０は背上げ動作開始前の状態を示す。図１０に示すように、レール部６０Ｂはリブ６５０で補強されつつランバーサポート用ボトム１０３に固定されている。背上げ動作開始前において、レール部６０Ｂは回転ローラ３６０のローラ面３６２に既に接触している。この場合、背上げ駆動源２１０の背上げ動作の開始とほぼ同時に、回転ローラ３６０はレール部６０Ｂひいてはランバーサポート用ボトム１３を矢印Ａ１方向（ランバーサポート方向）に直ちに移動させ得る。従って、背上げ開始と共にランバーサポート効果が発現される
なお本実施形態においても、ランバーサポート部３５０は、ランバーサポート位置と解除位置とに切り替え可能とされている構造とされていてもよいし、あるいは、ランバーサポート部材３５０はランバーサポート位置に常に設定されており、解除位置に切り替えることができない構造とされていても良い。
【００４８】
（参考例）
図１１は参考例を示す。本参考例は前記した実施形態と基本的には同様の構成、同様の作用効果を有する。以下、相違する部分を中心として説明する。図１１は背上げ動作完了状態を示す。図１１に示すように、背上げ従動アーム３００は、本体アーム３１０と、本体アーム３１０の先端側に設けられたランバーサポート部３５０Ｃとを有する。ランバーサポート部３５０Ｃには、ローラ面３６２を有する空転可能な回転ローラ３６０が回転軸３６５を介して設けられている。回転ローラ３６０は本体アーム３１０から容易には離脱できない構造とされている。背上げ時には、図１１に示すように背上げ従動アーム３００が旋回し、ランバーサポート部３５０Ｃの転動体として機能する回転ローラ３６０（接触子）は、使用者の腰部を腹側に向けて反らせるように、ランバーサポート用ボトム１０３をボトムフレーム１１０に対して矢印Ａ１方向（ランバーサポート方向）に作動させる。
【００４９】
（実施形態４）
図１２および図１３は実施形態４を示す。本実施形態は前記した各実施形態と基本的には同様の構成、同様の作用効果を有する。以下、相違する部分を中心として説明する。図１２および図１３に示すように、レール部６０はランバーサポート部３５０の回転ローラ３６０のローラ面３６２と第１レール部６１との距離を調整する距離調整機構７０をもつ。すなわち、第１レール部６１の一端部６１ｅは枢支具６３を介して旋回可能にランバーサポート用ボトム１０３の支持プレート１０３ｄに揺動可能に枢支されている。第２レール部６２の一端部６２ｅに設けられている係合部材６５は、樹脂または金属で形成された係合爪６６をもつ。係合爪６６は、ランバーサポートボトム１０３の第１係止孔７０ｆ（第１位置）および第２係止孔７０ｓ（第１位置）にそれぞれ個別に係合および係合解除により着脱可能とされている。第１レール部６１の他端部６１ｆおよび第２レール部６２の他端部６２ｆは、枢支具６７により互いに旋回可能に連結されている。
【００５０】
図１２は、第２レール部６２の係合部材６５の係合爪６６がランバーサポートボトム１０３の第１係止孔７０ｆに挿入されて係合されている場合を示す。この場合には、図１２に示すように、背上げ動作前において、第１レール部６１および第２レール部６２の交差角θａは相対的に小さくされている。この結果、図１２に示すように、第１レール部６１は回転ローラ３６０の円筒形状のローラ面３６２に接触する。この場合、背上げ動作が開始されるときには、第１レール部６１の案内面６１ａは回転ローラ３６０のローラ面３６２に既に接触している。このため、背上げ動作の開始と同時に、回転ローラ３６０はレール部６０の第１レール部６１を矢印Ａ１０方向（図１２参照，ランバーサポート方向）に直ちに押圧でき、ひいてはランバーサポートボトム１０３を矢印Ａ１方向（図１２参照，ランバーサポート方向）に直ちに押圧できる。
【００５１】
これに対して、図１３は、第２レール部６２の係合部材６５がランバーサポートボトム１０３の第２係止孔７０ｓに挿入されて係合されている場合を示す。この場合には、図１３に示すように、背上げ動作前において、第１レール部６１および第２レール部６２の交差角θａは相対的に大きくされている。この結果、第１レール部６１は回転ローラ３６０のローラ面３６２からΔＷ１０ぶん離間する。この場合、背上げ機構２０Ａの背上げ動作が開始されるときには、回転ローラ３６０のローラ面３６２は第１レール部６１の案内面６１ａに非接触である。このため、背上げ開始時には、回転ローラ３６０のローラ面３６２がレール部６０を矢印Ａ１０方向（ランバーサポート方向）に持ち上げるタイミング時期がΔＷ１０ぶんやや遅延する。ランバーサポート用ボトム１０３を矢印Ａ１方向（ランバーサポート方向）に持ち上げ開始するタイミング時期がΔＷ１０ぶんやや遅延する。このように使用者の好み等に応じて、係合部材６５をランバーサポート用ボトム１０３の第１係合孔７０ｆ（第１係合部）または第２係合孔７０ｓ（第１係合部）に切り替えることにより、回転ローラ３６０のローラ面３６２がランバーサポート用ボトム１０３を矢印Ａ１方向（腰部を反らせて腹部の圧迫を軽減させるランバーサポート方向）に持ち上げるタイミング時期を調整できる利点が得られる。
【００５２】
なお本実施形態においても、ランバーサポート部３５０は、ランバーサポート位置と解除位置とに切り替え可能とされている構造とされていてもよいし、あるいは、ランバーサポート部材３５０はランバーサポート位置に常に設定されており、解除位置に切り替えることができない構造とされていても良い。
【００５３】
（その他）
前記した実施形態１によれば、ランバーサポート用ボトム１０３のうち空間１０８に対面する部位１０３ｋにレール部６０が設けられているが、これに限らず、場合によっては、ランバーサポート用ボトム１０３のうちの他の部位でも良い。レール部６０は断面でＶ形状とされているが、これに限定されるものではなく、Ｗ形状でも良いし、第２レール部６２を水平方向に指向させた直角三角形状としても良い。ランバーサポート位置から解除位置に切り替えるにあたり、ランバーサポート部３５０の旋回角度は１８０°程度とされているが、これに限定されるものではなく、９０°程度、１２０°程度、２７０°程度とする構造としても良い。ランバーサポート部３５０のサポート部材３５３はくの字形状とされているが、これに限定されるものではない。
【００５４】
ランバーサポート用ボトム１０３を押圧する接触子として、回転可能な円筒形状の回転ローラ３６０が採用されているが、これに限らず、球状の回転ローラとしても良い。回転ローラ３６０に限定されず、ランバーサポート用ボトム１０３の背面１０３ｒおよびレール部６０に接触しつつ円滑に滑る摩擦係数が低い固体潤滑性をもつ滑走体、スライド体としても良い。滑走体またはスライド体としては、固体潤滑性に富むフッ素樹脂等を利用して形成されていても良い。
【００５５】
ランバーサポート部３５０は、ランバーサポート位置と解除位置都に切り替え可能とされているが、これに限らず、ランバーサポート部材３５０はランバーサポート位置に常に設定されている構造でも良い。場合によっては、固定ボトム１０４は廃止されていても良い。ベッドを構成する基体１００としては、上フレーム１０１の高さ位置が固定されているタイプでも良いし、上フレーム１０１の高さ位置が昇降可能なタイプでも良い。本発明は上記し且つ図面に示した実施形態のみに限定されるものではなく、要旨を逸脱しない範囲内で適宜変更して実施できる。
【００５６】
本明細書の記載から次の技術的思想も把握できる。
［付記項１］ベッドを構成する基体と、前記基体に設けられベッドに横たわる使用者の背中を支える背中ボトムと、前記背中ボトムのうちの少なくとも使用者の腰部側に対向するランバーサポート用ボトムを支えるボトムフレームと、使用者の背中を使用者の下半身に対して持ち上げるように前記背中ボトムを前記ボトムフレームと共に持ち上げる背上げ機構とを具備し、前記背上げ機構は、基端部が前記基体に旋回可能に枢支され先端部が前記背中ボトムを使用者の下半身に対して持ち上げるための背上げ駆動アームと、前記背上げ駆動アームを背上げ方向および背下げ方向に旋回させるための背上げ駆動源と、基端部が前記基体に旋回可能に枢支され前記背上げ駆動アームの旋回に追従して背上げ方向および背下げ方向に旋回するための背上げ従動アームとを有しており、前記背上げ従動アームは、使用者の腰部を腹側に向けて反らせるように前記ランバーサポート用ボトムを前記ボトムフレームに対して作動させ、且つ、前記背上げ機構の背上げ動作とともに前記ランバーサポート用ボトムに沿って摺動可能な接触子をもつランバーサポート部を有するベッド背上げ装置。この場合、ランバーサポート部によりランバーサポート用ボトムを移動させて、使用者の腰部を腹側に向けて反らせることができる。
【符号の説明】
【００５７】
１００は基体、１０１は上フレーム、１０２は背中ボトム、１０３はランバーサポート用ボトム、１０４は固定ボトム、１１０はボトムフレーム、２０Ａは背上げ機構、２００は背上げ駆動アーム、２１０は背上げ駆動源、２１１は本体、２１２はロッド、２１３は駆動アーム、３００は第１背上げ従動アーム、３１０は本体アーム、３５０はランバーサポート部、３５１は第１アーム、３５２は第２アーム、３５３はサポート部材、３６０は回転ローラ（接触子）、３６２はローラ面、３８０は取付具、３９０は長孔、４００は第２背上げ従動アーム、６０はレール部、６１は第１レール部、６１ａは案内面、６２は第２レール部、６５は係合部材、７０は距離可変機構を示す。
【図１】
0005637372.tif 000002
【図２】
0005637372.tif 000003
【図３】
0005637372.tif 000004
【図４】
0005637372.tif 000005
【図５】
0005637372.tif 000006
【図６】
0005637372.tif 000007
【図７】
0005637372.tif 000008
【図８】
0005637372.tif 000009
【図９】
0005637372.tif 000010
【図１０】
0005637372.tif 000011
【図１１】
0005637372.tif 000012
【図１２】
0005637372.tif 000013
【図１３】
0005637372.tif 000014